(57)【要約】  【課題】  仮名入力方式で文字入力をすることができることは勿論、ポケベル入力方式でも文字入力を可能とし、ポケベル入力方式に慣れていないユーザであっても、容易に文字入力を行うことができる光ディスク記録再生装置を提供する。  【解決手段】  リモコン２１の文字入力切換キー２１３を操作してポケベル入力方式が選択されると、ポケベル入力方式が入力方式設定手段２２１に設定される。そして、文字入力要求画面がディスプレイ装置２０に表示されたとき、前記設定されている入力方式が入力方式判定手段２２２により判定される。この場合、入力方式設定手段２２２においては入力方式がポケベル入力方式に設定されているので、前記設定されている入力方式がポケベル入力方式であると入力方式判定手段２２２により判定される。次に、表示制御手段２２３により、ＲＯＭ２３からポケベル入力操作情報が読み出され、ディスプレイ装置２０に表示される。【選択図】      図１
2005317088.tif 000002
【特許請求の範囲】
【請求項１】
文字情報が予めメモリに記憶されており、ディスプレイ装置に表示したい文字に対応す
る文字情報を操作部の操作により前記メモリから読み出して文字を入力することが可能な
光ディスク記録再生装置において、通常の仮名入力方式とポケベル入力方式とを切り換え
るための文字入力切換キーを前記操作部に設け、ポケベル入力方式で文字を入力する場合
のポケベル入力操作情報を予め前記メモリに記憶させておき、前記操作部の文字入力切換
キーにより選択された入力方式を設定する入力方式設定手段と、文字入力要求画面が前記
ディスプレイ装置に表示されたときに前記設定されている入力方式を判定する入力方式判
定手段と、該入力方式判定手段により入力方式がポケベル入力方式であると判定された場
合に前記メモリからポケベル入力操作情報を読み出して前記ディスプレイ装置に表示させ
る制御を行う表示制御手段とを有するシステムコントローラを備えたことを特徴とする光
ディスク記録再生装置。
【請求項２】
文字情報が予めメモリに記憶されており、ディスプレイ装置に表示したい文字に対応す
る文字情報を操作部の操作により前記メモリから読み出して文字を入力することが可能な
光ディスク記録再生装置において、通常の仮名入力方式とポケベル入力方式とを切り換え
るための文字入力切換キーを前記操作部に設け、ポケベル入力方式で文字を入力する場合
のポケベル入力操作情報を予め前記メモリに記憶させておき、前記操作部の文字入力切換
キーによりポケベル入力方式が選択され、文字入力要求画面が前記ディスプレイ装置に表
示されたときに前記メモリからポケベル入力操作情報を読み出して前記ディスプレイ装置
に表示させる制御を行うシステムコントローラを備えたことを特徴とする光ディスク記録
再生装置。
【請求項３】
前記システムコントローラは、前記操作部の文字入力切換キーにより選択された入力方
式を設定する入力方式設定手段と、文字入力要求画面が前記ディスプレイ装置に表示され
たときに前記設定されている入力方式を判定する入力方式判定手段と、該入力方式判定手
段により入力方式がポケベル入力方式であると判定された場合に前記メモリからポケベル
入力操作情報を読み出して前記ディスプレイ装置に表示させる制御を行う表示制御手段と
を有することを特徴とする請求項２に記載の光ディスク記録再生装置。
【発明の詳細な説明】
【技術分野】
【０００１】
本発明は、光ディスクに対して情報の記録／再生を行う光ディスク記録再生装置に関し
、特に、文字情報が予めメモリに記憶されており、ディスプレイ装置に表示したい文字に
対応する文字情報を操作部の操作により前記メモリから読み出して文字を入力することが
可能な光ディスク記録再生装置に関する。
【背景技術】
【０００２】
従来からディスプレイ装置に表示する文字の入力方式として、例えば、仮名入力方式と
ポケベル入力方式とが知られている。仮名入力方式は、あるキーを連続して押すことによ
って文字を選択するものである。ポケベル入力方式は、２回のキーの組み合わせによって
文字を選択するものである。
【０００３】
例えば、「もくてき」という４文字を入力する場合、仮名入力方式では、７キーを５回
、２キーを３回、４キーを４回、２キーを２回押下することで、「もくてき」という４文
字を入力することができる。一方、ポケベル方式では、７キー、５キー、２キー、３キー
、４キー、４キー、２キー、２キーという順で押下すると、同様に「もくてき」という４
文字を入力することができる（図２参照）。
【特許文献１】特開２００２−１５７０７０号公報
【特許文献２】特開２００３−１７４４９７号公報
【特許文献３】特開２００３−２５６１１４号公報
【発明の開示】
【発明が解決しようとする課題】
【０００４】
ところで、現状の光ディスク記録再生装置においては、文字の入力方式としては仮名入
力方式が採用されているので、リモコンで上述したような仮名入力方式による操作を行っ
てディスプレイ装置に表示したい文字を入力している。このような仮名入力方式は、携帯
電話機における文字入力にも採用されているので、携帯電話機においてメール作成などに
慣れているユーザにとっては、現状の光ディスク記録再生装置に対しても文字入力が違和
感なく行えるが、ポケベル入力方式に慣れているユーザにとっては使い勝手が劣るという
課題が生じる。また、光ディスク記録再生装置にポケベル入力方式を採用しても、ポケベ
ル入力方式に慣れていないユーザは、ポケベル入力方式の操作方法が記載された取扱説明
書を参照しながら文字入力を行わなければならないので、この場合も使い勝手が劣るとい
う課題が生じる。
【０００５】
なお、特許文献１，２，３の従来技術は、何れも携帯端末機における文字入力方法を示
すものであり、光ディスク記録再生装置におけるリモコンで文字を入力する文字入力方法
を示したものではなく、また、ポケベル入力方式を採用しても、ポケベル入力方式に慣れ
ていないユーザは、ポケベル入力方式の操作方法が記載された取扱説明書を参照しながら
文字入力を行わなければならないので、使い勝手が劣ることになる。
【０００６】
本発明は、上記のような課題を解決するためになされたもので、仮名入力方式で文字入
力をすることができることは勿論、ポケベル入力方式でも文字入力を可能とし、ポケベル
入力方式に慣れていないユーザであっても、容易に文字入力を行うことができる光ディス
ク記録再生装置を提供することを目的とする。
【課題を解決するための手段】
【０００７】
上記目的を達成するために、請求項１の発明は、文字情報が予めメモリに記憶されてお
り、ディスプレイ装置に表示したい文字に対応する文字情報を操作部の操作により前記メ
モリから読み出して文字を入力することが可能な光ディスク記録再生装置において、通常
の仮名入力方式とポケベル入力方式とを切り換えるための文字入力切換キーを前記操作部
に設け、ポケベル入力方式で文字を入力する場合のポケベル入力操作情報を予め前記メモ
リに記憶させておき、前記操作部の文字入力切換キーにより選択された入力方式を設定す
る入力方式設定手段と、文字入力要求画面が前記ディスプレイ装置に表示されたときに前
記設定されている入力方式を判定する入力方式判定手段と、該入力方式判定手段により入
力方式がポケベル入力方式であると判定された場合に前記メモリからポケベル入力操作情
報を読み出して前記ディスプレイ装置に表示させる制御を行う表示制御手段とを有するシ
ステムコントローラを備えたことを特徴とする光ディスク記録再生装置を提供する。
【０００８】
この構成において、操作部の文字入力切換キーを操作して、ポケベル入力方式が選択さ
れると、ポケベル入力方式が入力方式設定手段に設定される。そして、文字入力要求画面
がディスプレイ装置に表示されたとき、前記設定されている入力方式が入力方式判定手段
により判定される。この場合、入力方式設定手段においては入力方式がポケベル入力方式
に設定されているので、前記設定されている入力方式がポケベル入力方式であると入力方
式判定手段により判定される。次に、表示制御手段により、メモリからポケベル入力操作
情報が読み出され、ディスプレイ装置に表示される。
【０００９】
この構成によれば、仮名入力方式で文字入力をすることができることは勿論、ポケベル
入力方式でも文字入力を可能とし、ポケベル入力方式を選択した場合は、ポケベル入力操
作情報がディスプレイ装置に表示されるので、ポケベル入力方式に慣れていないユーザで
あっても、ポケベル入力操作情報を見ながら文字入力を行うことができ、これにより、容
易に文字入力を行うことができる。
【００１０】
請求項２の発明は、文字情報が予めメモリに記憶されており、ディスプレイ装置に表示
したい文字に対応する文字情報を操作部の操作により前記メモリから読み出して文字を入
力することが可能な光ディスク記録再生装置において、通常の仮名入力方式とポケベル入
力方式とを切り換えるための文字入力切換キーを前記操作部に設け、ポケベル入力方式で
文字を入力する場合のポケベル入力操作情報を予め前記メモリに記憶させておき、前記操
作部の文字入力切換キーによりポケベル入力方式が選択され、文字入力要求画面が前記デ
ィスプレイ装置に表示されたときに前記メモリからポケベル入力操作情報を読み出して前
記ディスプレイ装置に表示させる制御を行うシステムコントローラを備えたことを特徴と
する光ディスク記録再生装置を提供する。
【００１１】
この構成において、操作部の文字入力切換キーを操作して、ポケベル入力方式が選択さ
れ、文字入力要求画面がディスプレイ装置に表示されたとき、メモリからポケベル入力操
作情報が読み出され、ディスプレイ装置に表示される。
【００１２】
この構成によれば、仮名入力方式で文字入力をすることができることは勿論、ポケベル
入力方式でも文字入力を可能とし、ポケベル入力方式を選択した場合は、ポケベル入力操
作情報がディスプレイ装置に表示されるので、ポケベル入力方式に慣れていないユーザで
あっても、ポケベル入力操作情報を見ながら文字入力を行うことができ、これにより、容
易に文字入力を行うことができる。
【００１３】
請求項３の発明は、請求項２の発明において、前記システムコントローラは、前記操作
部の文字入力切換キーにより選択された入力方式を設定する入力方式設定手段と、文字入
力要求画面が前記ディスプレイ装置に表示されたときに前記設定されている入力方式を判
定する入力方式判定手段と、該入力方式判定手段により入力方式がポケベル入力方式であ
ると判定された場合に前記メモリからポケベル入力操作情報を読み出して前記ディスプレ
イ装置に表示させる制御を行う表示制御手段とを有するので、仮名入力方式で文字入力を
することができることは勿論、ポケベル入力方式でも文字入力が可能となり、ポケベル入
力方式を選択した場合は、ポケベル入力操作情報をディスプレイ装置に表示することが可
能になる。
【発明の効果】
【００１４】
以上のように本発明によれば、通常の仮名入力方式とポケベル入力方式とを切り換える
ための文字入力切換キーを前記操作部に設け、ポケベル入力方式で文字を入力する場合の
ポケベル入力操作情報を予め前記メモリに記憶させておき、前記操作部の文字入力切換キ
ーによりポケベル入力方式が選択され、文字入力要求画面が前記ディスプレイ装置に表示
されたときに前記メモリからポケベル入力操作情報を読み出して前記ディスプレイ装置に
表示させる制御を行うシステムコントローラを備えたので、仮名入力方式で文字入力をす
ることができることは勿論、ポケベル入力方式でも文字入力が可能となり、ポケベル入力
方式を選択した場合は、ポケベル入力操作情報をディスプレイ装置に表示することが可能
になり、したがって、ポケベル入力方式に慣れていないユーザであっても、ポケベル入力
操作情報を見ながら文字入力を行うことができ、これにより、容易に文字入力を行うこと
ができる。
【発明を実施するための最良の形態】
【００１５】
以下、添付図面を参照しつつ、本発明の実施の形態について説明する。図１は本発明の
一実施形態に係る光ディスク記録再生装置の構成を示すブロック図である。
【００１６】
この光ディスク記録再生装置は、光ディスク１を回転させるスピンドルモータ５と、光
ディスク１に記録された情報を再生するためのレーザ光を出射すると共に光ディスク１か
らの反射光を受光する光ピックアップ２と、この光ピックアップ２を光ディスク１の半径
方向に移動させるためのスレッド３と、システムコントローラ２２の指示に応じてスピン
ドルモータ５およびスレッド３を駆動すると共に光ピックアップ２に内蔵された対物レン
ズ（図示せず）を動かすことによりレーザ光の焦点位置を光ディスク１の記録面に対して
垂直方向および水平方向に移動させる制御を行うサーボ制御部４とを備えている。
【００１７】
また、この光ディスク記録再生装置は、光ディスク１の再生時に光ピックアップ２から
の読取信号であるＲＦ信号を増幅するＲＦアンプ６と、このＲＦアンプ６から出力された
ＲＦ信号をデジタルデータに変換した後に光ディスク１のデータフォーマットに応じた信
号復調処理と誤り訂正処理を行って生成したデータをＲＡＭ７に格納するデジタル信号処
理部８と、システムコントローラ２２の指示に応じてデジタル信号処理部８から出力され
たデータストリームの中からオーディオデータとサブピクチャデータとビデオデータとを
分離するストリーム分離部９とを備えている。
【００１８】
また、この光ディスク記録再生装置は、ストリーム分離部９から出力されたオーディオ
データを入力して所定のデコード処理を行うオーディオデコーダ１１と、このオーディオ
デコーダ１１でのデコード処理を行うためにデータを一時的に格納するＲＡＭ１０と、ス
トリーム分離部９から出力されたサブピクチャデータを入力して所定のデコード処理を行
うサブピクチャデコーダ１３と、このサブピクチャデコーダ１３でのデコード処理を行う
ためにデータを一時的に格納するＲＡＭ１２と、ストリーム分離部９から出力されたビデ
オデータを入力して所定のデコード処理を行うビデオデコーダ１５と、このビデオデコー
ダ１５でのデコード処理を行うためにデータを一時的に格納するＲＡＭ１４とを備えてい
る。
【００１９】
また、この光ディスク記録再生装置は、システムコントローラ２２の指示に応じてビデ
オデコーダ１５から出力されたデータとサブピクチャデコーダ１３から出力されたデータ
とを合成するビデオプロセッサ１７と、このビデオプロセッサ１７から出力された合成デ
ータを表示用のビデオ信号に変換して画像をディスプレイ装置２０に表示させるビデオエ
ンコーダ１８と、オーディオデコーダ１１から出力されたデータをアナログのオーディオ
信号に変換して例えばスピーカ１９に供給するＤ／Ａ変換器１６とを備えている。
【００２０】
また、この光ディスク記録再生装置は、システムコントローラ２２に対して、再生指示
を与えるための再生キー２１１や、記録指示を与えるための記録キー２１２、仮名入力方
式とポケベル入力方式とを切り換えるための文字入力切換キー２１３などの各種操作キー
を有する操作部としてのリモコン２１と、装置全体を制御する前記システムコントローラ
２２とを備えている。なお、前記操作部としては、装置本体の操作パネルに設けられたキ
ー操作部であっても良い。
【００２１】
また、この光ディスク記録再生装置は、装置の各構成要素を制御したり、装置全体を制
御したりするためのプログラムやデータが記憶されたフラッシュＲＯＭ２３と、このフラ
ッシュＲＯＭ２３のプログラムやデータに従って演算処理を行いシステムコントローラ２
２を制御するＣＰＵ２４とを備えている。また、フラッシュＲＯＭ２３には、文字情報お
よびポケベル入力操作情報が予め記憶されている。
【００２２】
また、この光ディスク記録再生装置は、図示しないテレビジョン受信機やパーソナルコ
ンピュータなどから送られてきた映像音声データを光ディスク１に記録するために変調を
かける記録データ変調回路２５と、この記録データ変調回路２５により変調された変調デ
ータに基づいて光ピックアップ２から出射するレーザ光を変調させるためのレーザ変調信
号を光ピックアップ２に出力するレーザ変調回路２６とを備えている。
【００２３】
システムコントローラ２２は、本実施形態の特徴とする構成要素として、リモコン２１
の文字入力切換キー２１３により選択された入力方式を設定する入力方式設定手段２２１
と、文字入力要求画面がディスプレイ装置２０に表示されたときに前記設定されている入
力方式を判定する入力方式判定手段２２２と、該入力方式判定手段２２２により入力方式
がポケベル入力方式であると判定された場合にフラッシュＲＯＭ２３からポケベル入力操
作情報を読み出してディスプレイ装置２０に表示させる制御を行う表示制御手段２２３と
を有する。
【００２４】
図２は本実施形態においてディスプレイ装置２０に表示される文字全角大文字モードの
ポケベル入力操作情報を示す図である。図３は同じくディスプレイ装置２０に表示される
文字全角小文字モードのポケベル入力操作情報を示す図である。図４は同じくディスプレ
イ装置２０に表示される文字半角大文字モードのポケベル入力操作情報を示す図である。
図５は同じくディスプレイ装置２０に表示される文字半角小文字モードのポケベル入力操
作情報を示す図である。図６は本実施形態においてディスプレイ装置２０に表示されるセ
ットアップ画面の一部を示す図である。図７は本実施形態において文字入力に関する処理
を説明するためのフローチャートである。
【００２５】
図１〜図７を参照して本実施形態の文字入力に関する処理を説明する。先ず、リモコン
２１を操作して光ディスク記録再生装置のディスプレイ装置２０に図６に示すようなセッ
トアップ画面を表示する（ステップＳ１）。そして、ユーザはセットアップ画面を見て、
リモコン２１の文字入力切換キー２１３を操作して入力方式を選択する（ステップＳ２）
。文字入力切換キー２１３を操作しない場合は、最初は仮名入力方式が選択されているの
で、入力方式設定手段２２１には仮名入力方式が設定されている（ステップＳ３、Ｓ４）
。文字入力切換キー２１３を操作すると、仮名入力方式からポケベル入力方式に切り換え
られ、入力方式設定手段２２１にはポケベル入力方式が設定されることになる（ステップ
Ｓ３、Ｓ５）。
【００２６】
その後、通常処理に移る。この通常処理とは、例えば、記録したり、再生したりする他
、ファイル名を付ける処理などのことを言い、ここの処理ではファイル名を付ける処理に
移るとして説明する。リモコン２１を操作して、ファイル名を付ける処理に移ると、ディ
スプレイ装置２０にファイル名入力画面が表示される（ステップＳ７）。このとき入力方
式設定手段２２１に設定されている入力方式は、仮名入力方式であるかポケベル入力方式
であるかが入力判定手段２２２により判定される（ステップＳ８）。
【００２７】
この判定結果が仮名入力方式であることを示す場合は、仮名入力方式で文字入力が可能
であるので、仮名入力方式で文字入力を行い（ステップＳ９）、この文字入力が終了する
と（ステップＳ１０）、本処理は終了する。なお、この仮名入力方式による文字入力処理
において、全角や半角を設定する入力モードの切り換えの処理については図示を省略して
いる。
【００２８】
一方、判定結果がポケベル入力方式であることを示す場合は、表示制御手段２２３によ
り、フラッシュＲＯＭ２３からポケベル入力操作情報が読み出され、ディスプレイ装置２
０に表示される（ステップＳ１１）。
【００２９】
この後は、ユーザはディスプレイ装置２０に表示された図２などに示すようなポケベル
入力操作情報を参照して、リモコン２１のキーを操作して文字の入力を行う。この際、入
力モードを切り換えないときは（ステップＳ１２）、文字は全角に設定されたまま（デフ
ォルト値）となっている（ステップＳ１５）。そして、全角のポケベル入力操作情報を参
照して全角で文字を入力し（ステップＳ１４）、次に、入力モードを切り換えたときは（
ステップＳ１２）、文字は半角に設定され（ステップＳ１３）、半角のポケベル入力操作
情報を参照して半角で文字を入力する（ステップＳ１４）。この文字入力が終了すると（
ステップＳ１６）、本処理は終了する。なお、入力モードを切り換えることにより、図２
〜図５に示すようなポケベル入力操作情報が切り換りディスプレイ装置２０に表示される
ことになる。
【００３０】
以上のように本実施形態によれば、仮名入力方式で文字入力をすることができることは
勿論、ポケベル入力方式でも文字入力を可能とし、ポケベル入力方式を選択した場合は、
ポケベル入力操作情報がディスプレイ装置に表示されるので、ポケベル入力方式に慣れて
いないユーザであっても、ポケベル入力操作情報を見ながら文字入力を行うことができ、
これにより、容易に文字入力を行うことができる。
【図面の簡単な説明】
【００３１】
【図１】本発明の一実施形態に係る光ディスク記録再生装置の構成を示すブロック図である。
【図２】前記実施形態においてディスプレイ装置に表示される文字全角大文字モードのポケベル入力操作情報を示す図である。
【図３】同じくディスプレイ装置に表示される文字全角小文字モードのポケベル入力操作情報を示す図である。
【図４】同じくディスプレイ装置に表示される文字半角大文字モードのポケベル入力操作情報を示す図である。
【図５】同じくディスプレイ装置に表示される文字半角小文字モードのポケベル入力操作情報を示す図である。
【図６】前記実施形態においてディスプレイ装置に表示されるセットアップ画面の一部を示す図である。
【図７】前記実施形態において文字入力に関する処理を説明するためのフローチャートである。
【符号の説明】
【００３２】
２０    ディスプレイ装置
２１    リモコン（操作部）
２３    フラッシュＲＯＭ（メモリ）
２１３    文字入力切換キー
２２１    入力方式設定手段
２２２    入力方式判定手段
２２３    表示制御手段
【図１】
2005317088.tif 000003
【図２】
2005317088.tif 000004
【図３】
2005317088.tif 000005
【図４】
2005317088.tif 000006
【図５】
2005317088.tif 000007
【図６】
2005317088.tif 000008
【図７】
2005317088.tif 000009